(57)【要約】【課題】  移動局が複数無線基地局を介してパケット転送し、移動局および無線基地局が無線チャネルに対する再送制御機能を有することの両立を可能とする。【解決手段】  移動局４０と各無線基地局３０−１、−２との間を、無線チャネルを用いてパケットを受付けた際、移動局４０で伝送品質を最良とする条件のチャネル、例えば誤りの最小のパケットを有するチャネル、または最短時間で受信完了したチャネルのうちの一つを選択することによって、該当する一つの無線基地局を選択してその下りパケットを処理する。基地局制御装置２０でも、同様に一つの上りパケットを選択してパケットノード１０に転送する。【選択図】  図１
2006025325.tif 000002
【特許請求の範囲】
【請求項１】
移動局と無線基地局との間でそれぞれ独立した再送制御機能を有し、かつ一つの基地局制御装置に接続する前記複数の無線基地局と前記移動局が同時に通信する移動通信システムにおけるパケット転送方法において、前記移動局は、前記複数の無線基地局から転送される同一パケットのうち、その品質が最良の一つのパケットを選択して、そのパケットに伝送誤りがあれば選択されたパケットの転送元無線基地局に再送要求し、誤りなしであればその選択されたパケットをデータ処理することを特徴とする移動通信システムにおけるパケット転送方法。
【請求項２】
請求項１に記載のパケット転送方法において、前記移動局は、前記複数の無線基地局から転送される同一パケットの誤りパケットを検出した際に、前記複数の無線基地局のうち、品質が最良の一つのパケットとして誤りパケットの再送量が最小のパケットを転送した一つの無線基地局を選択してその選択された無線基地局に再送要求することを特徴とする移動通信システムにおけるパケット転送方法。
【請求項３】
請求項１に記載のパケット転送方法において、前記移動局は、前記複数の無線基地局から転送される同一パケットを正常パケットとして受けた際、前記複数の無線基地局のうち、品質が最良の一つのパケットとして一定時間内で分割パケットから組立てを最初に完了した一つのパケットのみを選択してデータ処理することを特徴とする移動通信システムにおけるパケット転送方法。
【請求項４】
請求項１に記載のパケット転送方法において、前記基地局制御装置は、前記複数の無線基地局から複数の同一パケットを受けた際、前記複数の同一パケットで、上位通信網に送出可能に組み立てられたパケットのうち、最初に完成した一つのパケットを上位通信網に送出することを特徴とする移動通信システムにおけるパケット転送方法。
【請求項５】
移動局と無線基地局との間でそれぞれ独立した再送制御機能を有し、かつ一つの基地局制御装置に接続する前記複数の無線基地局と前記移動局が同時に通信する移動通信システムにおいて、前記移動局は、対応する複数の受信機で前記複数の無線基地局から転送される同一パケットを受け、その受けたパケットのうち、その品質が最良の一つのパケットを選択して、そのパケットに伝送誤りがあれば選択されたパケットの転送元無線基地局に送信機を介して再送要求し、誤りなしであればその選択されたパケットを組み立ててデータ処理する一方、発生した送信データをトラヒック状況に応じてデータパケットを分割し、通信可能な複数の無線基地局に送信機を介して送信する制御部を備えることを特徴とする移動通信システム。
【請求項６】
請求項５に記載の移動通信システムにおいて、前記移動局は、前記複数の無線基地局から転送される同一パケットの誤り分割パケットを検出した際に、前記複数の無線基地局のうち、品質が最良の一つのパケットとして誤り分割パケットの再送合計量が最小のパケットを転送した一つの無線基地局を選択してその選択された無線基地局に再送要求する制御部を備えることを特徴とする移動通信システム。
【請求項７】
請求項５に記載の移動通信システムにおいて、前記移動局は、前記複数の無線基地局から転送される同一パケットを正常パケットとして受けた際、前記複数の無線基地局のうち、品質が最良の一つのパケットとして一定時間内で分割パケットから最初に組立て完了した一つのパケットのみを選択してデータ処理する制御部を備えることを特徴とする移動通信システム。
【請求項８】
請求項５に記載の移動通信システムにおいて、前記基地局制御装置は、上位通信網から受けたパケットを複数の前記無線基地局に分配する一方、同一宛先の同一パケットを複数の無線基地局から受けた際には、当該同一パケットのうち、その品質が最良の一つのパケットを選択して上位通信網に送出する分配選択合成部を備えることを特徴とする移動通信システム。
【発明の詳細な説明】
【技術分野】
【０００１】
本発明は、携帯通信端末のような移動局が通信可能な無線基地局との間で再送制御を有するパケット転送を行い、基地局制御装置を介して上位通信網のパケットノードに接続する際の移動通信システムにおけるパケット転送方法およびその通信システムに関するものである。
【背景技術】
【０００２】
従来の移動通信システムは、例えば、図８に示されるように、通信網１１０のノードとして基地局制御装置１２０を有し、複数の基地局１３０−１，１３０−２および複数の移動局１４０により構成される。基地局制御装置１２０は複数の基地局１３０−１，１３０−２を接続している。移動局１４０は通信可能な複数の基地局１３０−１，１３０−２と無線チャネルを介してパケット形式のデータを送受信する。
【０００３】
この移動通信システムにおけるパケット転送方法として、信頼性の高いパケット通信を可能とする技術が、例えば下記特許文献１に開示されている。これについて図８を参照すれば、移動局１４０から複数の無線チャネル、例えば二つの基地局１３０−１，１３０−２を介してパケットの送信要求があった場合である。基地局制御装置１２０は、二つの基地局１３０−１，１３０−２を介して一つの移動局１４０から伝送パケットを受信する。この場合、基地局制御装置１２０は、受信した二つの伝送パケットのうち、伝送誤りの少ない基地局を選択して通信網１１０に転送する。
【０００４】
すなわち、複数の基地局を利用するのは、移動局から送信される上り方向のパケットである。この場合、複数の無線チャネルのうち、伝送誤りの少ないチャネルを選択するので、基地局は、移動局に対する再送制御機能を有していない。
【０００５】
一方、伝送誤りを低減する方法として、誤りパケットの再送制御機能がある。これは、基地局と移動局とが一つの無線チャネルを介してパケットを送受信し、パケットの伝送誤りを検出するものである。これにより、受信側が送信元に誤りパケットの再送を要求して、誤りパケットを解消させることができる。
【０００６】
更に、この再送制御機能を上述した複数の無線チャネルに適用した場合、一つの移動局から複数の無線基地局に再送要求することは資源の無駄使いが生じる。このため、再送制御機能は、一つの移動局に対して一つの無線基地局との間で行われる通信のみに実行される。
【０００７】
すなわち、従来システムのうち、一方の特許文献１では複数の基地局を介してパケット転送が行われ、その伝送誤りの少ない基地局が選択される。しかしながら、伝送誤り低減のための再送制御機能は有していない。他方、後者の再送制御機能は有するシステムでは、複数の無線チャネルにより多重化を形成する複数の基地局を利用することができない。
【０００８】
しかしながら、昨今では、更に信頼性の高いかつ高速のパケット転送が望まれている。
【０００９】
【特許文献１】特開平１１−３４１５４１号公報
【発明の開示】
【発明が解決しようとする課題】
【００１０】
解決しようとする課題は、移動局が複数の無線基地局を介してパケット転送することと、移動局および無線基地局が無線チャネルに対する再送制御機能を有することとが両立できないことである。
【課題を解決するための手段】
【００１１】
本発明は、移動局が複数の無線基地局を介して同一パケットを転送することと移動局および無線基地局が無線チャネルに対する再送制御機能を有することとを両立させて、更に信頼性の高いかつ高速のパケット転送を実現することを目的としている。本発明は、この目的で、移動局が、複数の無線基地局から転送される同一パケットのうち、その品質が最良の一つのパケットを選択して、そのパケットに伝送誤りがあれば選択されたパケットの転送元無線基地局に再送要求し、誤りなしであればその選択されたパケットをデータ処理することを主要な特徴とする。
【００１２】
誤りパケットを検出した際、品質が最良の一つのパケットとしては、誤りパケットの再送量が最小のパケットが挙げられる。この構成により、再送に要する処理時間を最短にすることができる。すなわち、全体の通信効率を向上させることができる。また、正常パケットとして受けた際、品質が最良の一つのパケットとしては、一定時間内で分割パケットから組立てを最初に完了したパケットが挙げられる。この構成により、次への転送の開始を早めるので、通信の遅れを縮小できると共に、全体の通信効率を向上させることができる。
【００１３】
また、無線基地局と上位通信網との間にあり無線基地局を制御する基地局制御装置は、複数の無線基地局から複数の同一パケットを受信する際、上位通信網に送出可能に組み立てられたパケットのうち、最初に完成した一つのパケットを上位通信網に送出することがよい。この構成により、本発明による移動通信システムでのパケット送信までの所要時間を最短にすることができる。
【発明の効果】
【００１４】
本発明の移動通信システムにおけるパケット転送方法は、複数の無線基地局と接続して同時通信する移動局で、受信した複数の同一パケット中から誤りを有するパケット長が最短である一つの発信元無線基地局を選択して、この無線基地局に再送要求している。また、移動局または基地局制御装置では、受信した複数の同一パケットの中で受信または組立が最初に完了したパケットの発信元無線基地局を選択して転送している。
【００１５】
このように、移動局と複数の無線基地局との間で受信状況のよい無線基地局を選択しているうえ、移動局と複数の無線基地局との間の通信状態で伝送誤りを生じても、移動局または無線基地局で再送制御を行うことにより誤りを解消できるという利点がある。また、この条件の中で更に、複数の同一パケットのうち、次の手順に最短時間で進む条件が追加されている。
【００１６】
従って、移動通信システムでの通信の品質を向上させるのみならず、パケット送信までの所要時間を最短にすることにより、通信の遅れを縮小できると共に、全体の通信効率を向上させることができるという効果が得られる。
【発明を実施するための最良の形態】
【００１７】
本発明は、複数の無線基地局と接続して同時通信する移動局またはその無線基地局で、無線チャネルにおいての再送制御を行うという目的を実現するものである。それは、移動局で、受信した複数のパケット中から誤りを有するパケット長が最短である一つの発信元無線基地局を選択して、この無線基地局に再送要求している。また、移動局または基地局制御装置では、受信した複数のパケットの中で受信または組立が最初に完了したパケットの発信元無線基地局を選択してデータ処理または転送処理が行われている。
【００１８】
このため、次の処理手順までの所要時間を短縮できるので、移動通信システムにおける通信の遅れを縮小できると共に、通信効率を向上させることができる。
【００１９】
以下に本発明について説明するが、本発明にかかわる以外の、例えば通信のための制御信号授受、パケット分割・組立て、パケット送受信などの具体的詳細については従来の技術を用いるものであって、その説明は省略する。
【実施例１】
【００２０】
本発明の移動通信システムの構成について実施例１として図１を参照して説明する。
【００２１】
図１は、本発明の移動通信システムにおけるブロック構成を実施例１として示す説明図である。
【００２２】
図１では、移動通信システムが、パケットノード１０に接続する基地局制御装置２０と二つの無線基地局３０−１，３０−２と一つの移動局４０とにより構成される。その構成は従来とほぼ同一であるが、その特徴となる機能が相違する。無線基地局および移動局それぞれの数は、図面上では省略されているが、複数である。
【００２３】
パケットノード１０は、上位通信網におけるパケットのためのノードであり、この移動通信システムにおける基地局制御装置２０と接続する。パケットノード１０は、基地局制御装置２０と送受信するパケット形式のデータ（以後、パケットと略称する）を、上位通信網を介して他のパケットノードとの間で転送する。基地局制御装置２０は、一方でパケットノード１０と接続し他方で無線基地局３０−１，３０−２と接続してパケットを送受信する。また、基地局制御装置２０は、無線基地局および無線チャネルを介して移動局４０と通信し、移動局４０に接続する無線基地局３０−１，３０−２を制御する。移動局４０は、例えば、携帯電話機を含む携帯通信端末であり、通信可能領域の無線チャネルで無線基地局３０−１，３０−２とパケットを送受信する。
【００２４】
基地局制御装置２０は、データパケット送受信部２１，２２およびデータパケット分配選択合成部２３により構成される。データパケット送受信部２１，２２それぞれはデータパケット分配選択合成部２３に接続される。
【００２５】
基地局制御装置２０のデータパケット送受信部２１，２２それぞれは、移動局４０が通信可能な無線基地局３０−１、３０−２それぞれに対応しており、データパケット分配選択合成部２３を介して、パケットノード１０から受信した下りパケットの分配を受ける。分配されたパケットは、データパケット送受信部２１から無線基地局３０−１に、またデータパケット送受信部２２から無線基地局３０−２に送信される。また、データパケット送受信部２１は、無線基地局３０−１からの上りパケットを、また、データパケット送受信部２２は、無線基地局３０−２からの上りパケットを、それぞれ受信する。データパケット分配選択合成部２３は、無線基地局３０−１，３０−２毎に組み立てられる上りパケットを受けて比較する。比較の結果、、最初に組み立てられ転送された上りパケットが、選択され、パケットノード１０に送信される。
【００２６】
無線基地局３０−１と無線基地局３０−２とは同一の構成であり、データパケット送受信部３１、データパケット分割組立再送制御部３２、符号化・復号部３３、および無線機３４により構成され、この順序で直列接続されている。
【００２７】
無線基地局３０−１では、データパケット送受信部３１が基地局制御装置２０からの下りパケットを受信してデータパケット分割組立再送制御部３２に送る一方、上りパケットを基地局制御装置２０に送信する。データパケット分割組立再送制御部３２は、無線基地局３０−１におけるその時点のトラヒック状況に応じて、下りパケットを複数ブロックに分割し、移動局４０との間で再送制御を行う機能を有する。一方、データパケット分割組立再送制御部３２は、移動局４０から受ける分割パケットを上りパケットに組み立てる。符号化・復号部３３は送信データの符号化を行う一方、受信データを復号する。無線機３４は符号化した送信データを下り分割パケットとして移動局４０に送信する一方、移動局からの送信データを上り分割パケットとして受信する。無線基地局３０−２も同様でありその説明は省略する。
【００２８】
移動局４０は、第１の無線基地局３０−１に対応する受信機４１およびこれに接続する復号部４２、第２の無線基地局３０−２に対応する受信機４３およびこれに接続する復号部４４、無線基地局３０−１，３０−２の両者に対応するデータパケット分割組立再送制御部４５およびこれに接続するデータパケット処理部４６、並びに符号化部４７およびこれに接続する送信機４８により構成される。復号部４２，４４および符号化部４７それぞれはデータパケット分割組立再送制御部４５に接続する。
【００２９】
受信機４１，４３それぞれは、無線基地局３０−１，３０−２からの下り分割パケットを受信する。復号部４２，４４は下り分割パケットを復号する。データパケット分割組立再送制御部４５は下り分割パケットの誤りが少ないかまたは下り分割パケットを一定時間早く受付けした側の無線基地局を選択する。また、データパケット分割組立再送制御部４５は、再送制御機能を有し、下り分割パケットを一つの下りパケットに組み立てる。また、データパケット分割組立再送制御部４５は上りパケットを分割して符号化部４７に送る。また、再送制御を行う場合には無線基地局情報と再送制御情報とが再送要求に含めて符号化部４７に送られる。データパケット処理部４６は、パケットのデータ処理を行う一方、送信データを上りパケットに生成する。また、符号化部４７は送信データの符号化を行う。送信機４８は符号化した送信データを上り分割パケットとして無線基地局３０−１，３０−２に送信する。
【００３０】
ここで、図２に図1を併せ参照して、下り方向のデータパケットの分割に関するデータの処理フローについて説明する。データパケットは、無線基地局３０−１，３０−２それぞれのトラヒック状況に応じて分割される。
【００３１】
例えば図示されるように、基地局制御装置２０は、１キロバイト長の下りデータパケットを無線基地局３０−１と無線基地局３０−２とに送っている。
【００３２】
それぞれの無線基地局のトラヒック状況に応じて、データパケット分割組立再送制御部３２により、無線基地局３０−１は１キロバイト長を１００バイト長の１０パケット、また、無線基地局３０−２は１キロバイト長を２００バイト長の５パケット、それぞれのデータブロックに分割する。そして、分割されたデータブロックは、各無線基地局それぞれにより独立して接続先の移動局４０に送られる。移動局４０は、無線基地局３０−１，３０−２それぞれと二重接続されているので、両者から送られたデータブロックをデータパケット分割組立再送制御部４５により受信する。
【００３３】
データパケット分割組立再送制御部４５が、二つの受信データパケットで共通にデータブロック＃１に伝送誤りを検出した場合について考察する。すなわち、無線基地局３０−１から受けるデータブロックのバイト数は無線基地局３０−２から受けるデータブロックのバイト数の２分の１である。従って、データブロックのパケット長が小さい無線基地局３０−１を選択する。データパケット分割組立再送制御部４５は、誤りを含むデータブロックが複数ある場合では、それぞれで合計が小さい例えば無線基地局３０−１を選択する。そして、無線基地局３０−１のデータパケット分割組立再送制御部３２は、誤りデータブロックの再送要求が行われる。再送要求されない無線基地局３０−２のデータパケット分割組立再送制御部３２は、再送のために保持していた送信用のデータパケットを破棄する。
【００３４】
次に、図３に図１をあわせ参照して、移動通信システム内の下りパケットの転送について説明する。
【００３５】
基地局制御装置２０は、データパケット分配選択合成部２３により、パケットノード１０から受信した下りパケットを、パケットに含まれる宛先アドレスに従って、移動局４０が通信可能な無線基地局３０−１、３０−２対応のデータパケット送受信部２１，２２それぞれに分配する。分配されたパケットは、データパケット送受信部２１から無線基地局３０−１、またデータパケット送受信部２２から無線基地局３０−２、それぞれに送信（手順Ｓ１）される。
【００３６】
無線基地局３０−１で基地局制御装置２０から受信した下りパケットは、データパケット送受信部３１によりデータパケット分割組立再送制御部３２に送られる。データパケット分割組立再送制御部３２は、受信パケットを複数ブロックの送信パケットに分割し、移動局４０との間で再送制御を行うため送信パケットを一時保持する再送準備（手順Ｓ３）を行う。一方、送信データは符号化・復号部３３により符号化される。符号化された送信データは無線機３４により下り分割パケットとして移動局４０に送信される。無線基地局３０−２も、上述同様に動作する。
【００３７】
移動局４０では、受信機４１が無線基地局３０−１から下り分割パケットを受信し、受信機４４が無線基地局３０−２から下り分割パケットを受信する。受信パケットは復号部４２，４４それぞれにより復号される。データパケット分割組立再送制御部４５は、二つの受信データを比較し、例えば、誤りによるパケット長の最短のものが選択（手順Ｓ４）される。すなわち、その誤りのある分割パケットが複数の場合にはその合計長が短い側の無線基地局が選択される。受信パケットに伝送誤りが検出された場合、選択された、例えば無線基地局３０−１へ符号化部４７および送信機４８を介して再送要求（手順Ｓ５）が行われる。
【００３８】
再送要求は無線基地局３０−１の無線機３４および符号化・復号部３３を介してデータパケット分割組立再送制御部３２により受信され、一時保存された送信パケットのうち指定された下り分割パケットを宛先の移動局４０に再送（手順Ｓ６）する。
【００３９】
移動局４０で正常にすなわち誤りなしで受信された下り分割パケットはデータパケット処理部４６によりデータ処理（手順Ｓ７）される。再送要求を受けない無線基地局は、一時保存した送信パケットを含み、再送の準備を破棄する。
【００４０】
次に、図４に図１をあわせ参照して、移動通信システム内の上りパケットの転送について説明する。
【００４１】
上りパケットは、移動局４０のデータパケット処理部４６において送信データから生成される。生成された上りパケットは、データパケット分割組立再送制御部４５に送られ分割された上り分割パケットに形成される。上り分割パケットは符号化部４７に送られ符号化される。符号化された上り分割パケットは、送信機４８により無線基地局３０−１，３０−２に送信（手順Ｓ１１）される。
【００４２】
また、データパケット分割組立再送制御部４５は再送要求を受けた場合のための準備（手順Ｓ１２）を行う。
【００４３】
例えば、無線基地局３０−２は、移動局４０からの上り分割パケットを無線機３４で受信し、符号・復号部３３へ送る。上り分割パケットは符号・復号部３３により復号され、データパケット分割組立再送制御部３２へ転送される。分割パケットに伝送誤りが検出された際には、データパケット分割組立再送制御部３２から符号・復号部３３および無線機３４を介して移動局４０へ、誤り部分の分割パケットに対する再送要求（手順Ｓ１３）が行われる。再送要求には、無線基地局情報と再送制御情報とが含まれる。
【００４４】
無線基地局３０−２から再送要求を受けた移動局４０では、再送要求が、受信機４３および復号部４４を介してデータパケット分割組立再送制御部４５により受信され、一時保存された送信パケットのうち指定された上り分割パケットが宛先を無線基地局３０−２として再送（手順Ｓ１４）される。また、データパケット分割組立再送制御部４５は再送要求を受けた場合のための準備（手順Ｓ１５）を行う。
【００４５】
無線基地局３０−２へ再送された分割パケットは無線機３４で受信し、符号・復号部３３へ送る。再送分割パケットは符号・復号部３３により復号され、データパケット分割組立再送制御部３２へ転送される。データパケット分割組立再送制御部３２は正常な分割パケットを上りパケットに組み立てる。組み立てられたパケットはデータパケット送受信部３１により基地局制御装置２０に送信（手順Ｓ１６）される。
【００４６】
他方、無線基地局３０−１でも、移動局４０からの上り分割パケットは、無線機３４および符号・復号部３３を介してデータパケット分割組立再送制御部３２へ転送される。正常な分割パケットは、データパケット分割組立再送制御部３２により上りパケットに組み立てられ、データパケット送受信部３１により基地局制御装置２０に送信（手順Ｓ２１）される。
【００４７】
基地局制御装置２０は、無線基地局３０−１からの上りパケットをデータパケット送受信部２１で、無線基地局３０−２からの上りパケットをデータパケット送受信部２２でそれぞれ受信し、データパケット分配選択合成部２３へ送る。データパケット分配選択合成部２３は、無線基地局３０−１，３０−２毎に組み立てられ送信された二つの上りパケットを比較し、最初に組み立てられた上りパケットを選択してパケットノード１０に送出（手順Ｓ２１）する。
【００４８】
図示された例では、再送制御のない無線基地局３０−１からの上りパケットが選択され、無線基地局３０−２からの上りパケットは破棄される。
【実施例２】
【００４９】
次に、図５を参照して、実施例２として基地局制御装置２０におけるデータパケット分配選択合成部２３の実施の一形態について説明する。
【００５０】
データパケット分配選択合成部２３はデータパケット受付手段５１、データパケット分配手段５２、組立完了パケット優先選択手段５３、およびデータパケット送出手段５４を有する。
【００５１】
データパケット受付手段５１はパケットノード１０から受付けした下りパケットをデータパケット分配手段５２へ送る。データパケット分配手段５２は受けた下りパケットを無線基地局３０−１と無線基地局３０−２とへ分配する。組立完了パケット優先選択手段５３は、無線基地局３０−１，３０−２から同一送信元の上りパケットを受けた場合には、最初に組立を完了したパケットを選択してデータパケット送出手段５４へ送る。データパケット送出手段５４は受けた上りパケットをパケットノード１０に向けて送出する。
【００５２】
上記説明では、移動局４０が、下りパケットの再送制御において、誤りによるパケット長が最短のパケットの送信元無線基地局を選択している。しかし、一定時間早く受信したパケットの送信元無線基地局を選択するとしてもよい。また、上記説明では、二つの無線基地局に分配されているが、複数無線基地局により多重化することもできる。
【００５３】
このように、無線チャネルを多重化して、伝送品質の最良のチャネルを選択できるので通信の信頼性を向上させると共に、再送制御においてパケットの転送時間を低減させる無線チャネルの選択方法を採用しているので通信の効率化を図ることができるという効果がある。
【実施例３】
【００５４】
本発明の移動局４０のデータパケット分割組立再送制御部４５について図面を参照して説明する。
【００５５】
図６は、データパケット分割組立再送制御部４５における構成ブロックの実施の一形態を示す説明図である。
【００５６】
データパケット分割組立再送制御部４５は、送信データ分割パケット処理手段６１、上り分割パケット送出手段６２、下り分割パケット受付手段６３、下り分割パケット組立送出手段６４、誤りパケット比較選択手段６５、誤りパケット再送要求手段６６、および単一パケット検出タイマ（以後、タイマと略称する）６７により構成される。
【００５７】
送信データ分割パケット処理手段６１は、上り分割パケット送出手段６２に接続し、発生した送信データを分割パケットに形成して上り分割パケット送出手段６２に送る。上り分割パケット送出手段６２は、誤りパケット再送要求手段６６および符号化部４７に接続し、送信データ分割パケット処理手段６１から受けた上り分割パケット、または誤りパケット再送要求手段６６から受ける再送要求を符号化部４７へ送出する。
【００５８】
下り分割パケット受付手段６３は、下り分割パケット組立送出手段６４と接続する。下り分割パケット受付手段６３は、無線基地局３０−１，３０−２から受ける下り分割パケットを復号部４２，４４それぞれを介して受付けし、下り分割パケット組立送出手段６４へ転送する。下り分割パケット組立送出手段６４は、誤りパケット比較選択手段６５およびデータパケット処理部４６に接続する。下り分割パケット組立送出手段６４は、誤りパケットを誤りパケット比較選択手段６５に転送する一方、受けた下り分割パケットを組立てし、組立てが完成した正常パケットをデータパケット処理部４６に送出する。正常パケットを送出した際には、別の同一発信元を有するパケットは破棄される。
【００５９】
誤りパケット比較選択手段６５は、誤りパケット再送要求手段６６およびタイマ６７と接続する。誤りパケット比較選択手段６５は、下り分割パケット組立送出手段６４から誤りパケットを受け、その際にタイマ６７を起動して別に同一発信元パケットを検出した際にはタイマを初期化してこれらのパケットを所定条件で比較していずれか一つを選択する。このタイマの時限に到達した際には、一つの無線基地局のみからの独立パケットを受けたと判断されるので、分割パケットの組立てが終了した際に、誤りパケットの再送のため誤りパケット再送要求手段６６を介して再送要求を送信する。また、誤りパケット比較選択手段６５は、所定条件として複数のパケットを受けた際、誤りパケットのバイト総数を比較し、再送要求の必要なトータルパケット長の最短なパケットから送信した無線基地局を選択して誤りパケット再送要求手段６６へ通知する。この通知には無線基地局情報と再送制御情報とが含まれる。
【００６０】
誤りパケット再送要求手段６６は、誤りパケット比較選択手段６５の指示に基づいて上り分割パケット送出手段６２を介して符号化部４７へ再送要求を送出する。
【００６１】
次に、図７に図６を併せ参照して下り分割パケットの受付動作手順について説明する。
【００６２】
まず、タイマ６４は、例えば電源投入の際に初期化（手順Ｓ７１）される。
【００６３】
復号部４２，４４のいずれか一方から復号された分割パケットが下り分割パケット受付手段６３を介して下り分割パケット組立送出手段６４で受付けされた際に、組立て（手順Ｓ７２）される。この際、誤りパケットは誤りパケット比較選択手段６５へ転送される。
【００６４】
誤りパケットなし（手順Ｓ７３のＮＯ）の場合、下り分割パケット組立送出手段６４は、分割パケットの組立てを完成（手順Ｓ７４）した時点で、組立て完成パケットをデータパケット処理部４６へ送出（手順Ｓ７５）して、手順を終了する。
【００６５】
上記手順Ｓ７３が「ＹＥＳ」で誤りパケットがある場合、下り分割パケット組立送出手段６４は、誤り分の分割パケットを誤りパケット比較選択手段６５に送る。誤りパケット比較選択手段６５は、タイマ６７を起動（手順Ｓ８１）して時限計測を開始し、別の無線基地局から受けた同一宛先移動局４０への誤り分割パケットの有無を調査（手順Ｓ８２）する。
【００６６】
同一宛先パケットの受信あり（手順Ｓ８３のＹＥＳ）の場合、誤りパケット比較選択手段６５は、タイマ６７を初期化（手順Ｓ８４）する。一方、誤りパケット比較選択手段６５は、二つそれぞれの受信パケットに対して誤りパケット長を演算してその長さ、すなわち再送のためのバイト長を比較（手順Ｓ８５）する。複数の無線基地局から受信するパケットの場合、比較して最短のパケット長の一つを転送した無線基地局が選択（手順Ｓ８６）される。誤りパケット比較選択手段６５は、選択された無線基地局情報と再送分の誤りパケットとを誤りパケット再送要求手段６６に転送する。誤りパケット再送要求手段６６は、再送分データを分割パケットに形成して選択された無線基地局へその誤りパケットの再送要求（手順Ｓ８７）を行い、上記手順Ｓ７２に戻って、再送されるパケットの受信を待つ。
【００６７】
上記手順Ｓ８３が「ＮＯ」で同一パケットの受信がなく、かつ、タイマ６７の時限に到達（手順Ｓ８８のＹＥＳ）した場合、タイマ６４は初期化（手順Ｓ８９）され、上記手順Ｓ８７に進む。すなわち、誤りパケット比較選択手段６５は、選択された無線基地局情報と再送分の誤りパケットとを誤りパケット再送要求手段６６に転送する。誤りパケット再送要求手段６６は、再送分データを分割パケットに形成して選択された無線基地局へその誤りパケットを再送要求する。
【００６８】
以上、図面を参照して説明したが、そのブロック構成の分離併合またはその動作手順の移動は上記機能を満たす限り自由であり、本発明が上記説明に限定されるものではない。
【産業上の利用可能性】
【００６９】
移動局と複数の無線基地局との間を、複数チャネルを用いてパケットを受付けた際、伝送品質を最良とする条件のチャネル、例えば誤りの最小のパケットを有するチャネル、または最短時間で受信完了したチャネルのうちの一つを選択することによって、移動局と複数の無線基地局との間で受信状況のよい無線基地局を選択しているうえ、移動局と複数の無線基地局との間の通信状態で伝送誤りを生じても、移動局または無線基地局で再送制御を行うことにより伝送誤りを解消または低減することができる。従って、再送要求または次への転送の開始を早めることができるので、通信の遅れを縮小できると共に、全体の通信効率を向上させることが必要な、パケット通信以外の、複数の無線基地局を介する多重化無線チャネルを用いる移動通信システムの全般に適用できる。
【図面の簡単な説明】
【００７０】
【図１】本発明による移動通信システムにおけるブロック構成の実施の一形態を示した説明図である。（実施例１）
【図２】図１の移動通信システムにおけるパケット分割の実施の一形態を示した説明図である。（実施例１）
【図３】図１の移動通信システムにおける下りパケットの流れの一形態を示したシーケンスチャートである。（実施例１）
【図４】図１の移動通信システムにおける上りパケットの流れの一形態を示したシーケンスチャートである。（実施例１）
【図５】図１のデータパケット分配選択合成部２３における機能ブロックの実施の一形態を示した説明図である。（実施例２）
【図６】図１のデータパケット分割組立再送制御部４５における機能ブロックの実施の一形態を示した説明図である。（実施例３）
【図７】図６のデータパケット分割組立再送制御部４５における主要動作手順の実施の一形態を示したフローチャートである。（実施例３）
【図８】従来の移動通信システムにおけるブロック構成の一例を示した説明図である。
【符号の説明】
【００７１】
１０    パケットノード
２０    基地局制御装置
２１、２２    データパケット送受信部
２３    データパケット分配選択合成部
３０−１、３０−２    無線基地局
３１    データパケット送受信部
３２    データパケット分割組立再送制御部
３３    符号化・復号部
３４    無線機
４０    移動局
４１、４３    受信機
４２、４４    復号部
４５    データパケット分割組立再送制御部
４６    データパケット処理部
４７    符号化部
４８    送信機
５１    データパケット受付手段
５２    データパケット分配手段
５３    組立完了パケット優先選択手段
５４    データパケット送出手段
６１    送信データ分割パケット処理手段
６２    上り分割パケット送出手段
６３    下り分割パケット受付手段
６４    下り分割パケット組立送出手段
６５    誤りパケット比較選択手段
６６    誤りパケット再送要求手段
６７    単一パケット検出タイマ（タイマ）
【図１】
2006025325.tif 000003
【図２】
2006025325.tif 000004
【図３】
2006025325.tif 000005
【図４】
2006025325.tif 000006
【図５】
2006025325.tif 000007
【図６】
2006025325.tif 000008
【図７】
2006025325.tif 000009
【図８】
2006025325.tif 000010